(57)【要約】【課題】  パチンコ機用の遊技球を用いるスロットマシンにあって、安定したリールユニットの設置状態が得られ、かつメンテナンス作業や新機種への交換作業等を楽に行い得るとともに、スロットマシンとパチンコ機との間で外枠を共通利用し得るようにしたスロットマシンを提供する。【解決手段】  側杆部２ａに比して短尺の縦杆部７４ａから構成される金属製内枠体７４に、係脱手段と載置台６１と配設するようにしたから、予めリールユニット６２と制御基板とを設置した該金属製内枠体７４を、パチンコ機用の遊技島に固定される外枠２に、前面側から取り付け及び取り外し作業を容易に行うことができる。これにより、新機種への交換作業を軽減することができる。また、重量のあるリールユニット６２が前枠４側に配設されていないため、該前枠４の開閉操作を楽に行うことができる。【選択図】    図５
2006034423.tif 000002
【特許請求の範囲】
【請求項１】
パチンコ機用の遊技球を遊技媒体として遊技を行うものであって、
パチンコ機用の遊技島に固定される、枠下端部の前面に幕板が配設された外枠と、該外枠の前面に開閉可能に取り付けられた前枠と、該前枠の背面側に取り付けられた裏機構板と、リールユニットとを備えてなるスロットマシンにおいて、
前記外枠の左右の側杆部の杆内面に支持される、該側杆部に比して短尺の左右の縦杆部と、該外枠の、前記幕板の裏側に隠れた底杆部の杆上面に支持される横杆部とから構成される金属製内枠体を備えてなり、
該金属製内枠体を外枠に係脱可能とする係脱手段と、支持ブラケットを介して、金属製内枠体の左右の縦杆部間に略水平に保持された載置台とが、金属製内枠体に設けられ、該載置台上に前記リールユニットが保持されることを特徴とするスロットマシン。
【請求項２】
金属製内枠体が、横杆部の左右両側に縦杆部が連成された略Ｕ字形状に形成されてなり、
該縦杆部の少なくとも上端後部に、縦杆部の下部を支点として前面側に傾動した場合に、外枠の上部と干渉を生じないようにする逃げ面が形成されていると共に、両縦杆部に夫々取り付けられた支持ブラケットにより載置台を両持ち状に固定してなるものであることを特徴とする請求項１に記載のスロットマシン。
【請求項３】
金属製内枠体に設けられた係脱手段が、外方に付勢され、外枠の側杆部の裏側縁に当接する弾性係止片と、該枠杆の表側縁に当接する鍔部とからなる係脱部材で構成され、
該係脱部材が、弾性係止片と鍔部とにより外枠の側杆部を表裏側から挟持することにより、外枠に金属製内枠体が係止されるようにしたものであることを特徴とする請求項１又は請求項２に記載のスロットマシン。
【請求項４】
支持ブラケットに、裏機構板に形成された上下方向の球流路との干渉を回避する回避部が設けられていることを特徴とする請求項１乃至請求項３のいずれかに記載のスロットマシン。
【請求項５】
金属製内枠体に、その左右の縦杆部間に、遊技を制御する制御基板を封止装着する基板格納部が設けられていることを特徴とする請求項１乃至請求項４のいずれかに記載のスロットマシン。
【請求項６】
基板格納部が、金属製内枠体に設けられた載置台の下方に固定され、該金属製内枠体の後方から制御基板を着脱可能としたものであることを特徴とする請求項５に記載のスロットマシン。
【発明の詳細な説明】
【技術分野】
【０００１】
本発明は、パチンコ機用の遊技球（以下、これを必要に応じて「パチンコ球」、または単に「遊技球」ともいう。）を遊技媒体として使用するスロットマシンに関する。
【背景技術】
【０００２】
パチンコ球を遊技媒体とするスロットマシンは、一般的なスロットマシンで遊技媒体として使用されるメダルに代えて、パチンコ球を使用して遊技を行うことができるため、パチンコ機と併存させて遊技場に備え付けることにより、遊技者は一種類の遊技媒体でパチンコ機とスロットマシンの両方の遊技を楽しむことができる。また、このスロットマシンは、パチンコ機用の遊技島に設置して、パチンコ機用の球供給・回収設備を利用できるため、遊技場にとっても設備を共用化できるとともに、遊技媒体の管理が容易になるという利点もある。
【０００３】
このようなパチンコ機用の遊技島に設置されるスロットマシンは、パチンコ機の外枠と同一形状に形成された外枠を備えており、該外枠がパチンコ機用の遊技島に釘や専用具を用いて固定される。この外枠の前面には、遊技操作部や球貯留皿を備えた前枠が開閉可能に取り付けられており、該前枠の背面側に複数の回転リールを有するリールユニットが配設されている。従来、このリールユニットの配設態様としては、本発明の前枠に相当する内枠の背面側に、開口部を有するパネル支持枠を取り付け、該開口部にリールユニットが取り付けられたパネルを着脱可能に嵌め込むようにしたもの（例えば、特許文献１参照）や、本発明の前枠に相当する機構板の背面にリールユニットを直接取り付けたもの（例えば、特許文献２参照）、或いは、前枠の裏面側に設けられた中枠の背面にリールユニットを直接取り付けたもの（例えば、特許文献３参照）等が知られているが、何れの場合にあっても、支持部材としての前枠や中枠の背面にリールユニットの前面側を片持ち状に取り付けて支持するようにしている。
【０００４】
一方、同じくパチンコ球を遊技媒体とするスロットマシンにおいて、パチンコ機用の遊技島ではなく、このタイプのスロットマシン専用の遊技島に設置されるものにあっては、該遊技島に固定される奥行きのある中空箱状の収納枠の、その左右の側板に載置台を横架し、該載置台をリールユニットの載置部としたもの（例えば、特許文献４参照）が知られている。
【特許文献１】特開２０００−７０４３６号公報
【特許文献２】特開２００２−１２６１６３号公報
【特許文献３】特開平７−１４４０４１号公報
【特許文献４】特開平１−１０７７８６号公報
【発明の開示】
【発明が解決しようとする課題】
【０００５】
ところで、前記リールユニットは、複数の回転リール以外に、各回転リールを夫々駆動するための複数のリール駆動モータや、各リール駆動モータを回転制御する制御基板を収めた制御基板ボックス等を堅牢な収納フレームの所定位置に配置してユニット化したものであるため、相当の重量がある。このため、上記のように、支持部材としての前枠や中枠の背面にリールユニットの前面側を片持ち状に取り付けて支持するようにした構成にあっては、リールユニットの底部が支持されていないため、その設置状態及び回転リールの回転状態が不安定になるとともに、リールユニットの重量が前枠や中枠との取り付け部分に集中し、常に回転モーメントが作用することによって、該取り付け部分に変形や破損が生じ易いという問題があった。
【０００６】
また、メンテナンス時における前枠の開閉操作時に、リールユニットも一緒に移動するため、前枠が重くて開閉操作がし難いという問題点があった。さらには、新機種に交換（パチンコ機の盤替えに相当）する場合には、この重い前枠から、リールユニットや制御基板等を個々に取り外し、さらに当該前枠を取り外した後、新たな前枠を取り付け、リールユニットや制御基板等を個々に取り付ける作業を行うこととなっているため、作業が繁雑しているという問題があった。
【０００７】
一方、収納枠を奥行きのある中空箱状に形成し、その左右の側板に載置台を横架してリールユニットの載置部とした構成にあっては、上記のような問題点は発生しない反面、収納枠の形状がパチンコ機用の外枠の形状とは大きく異なるため、かかる収納枠をパチンコ機の外枠として使用できないだけではなく、パチンコ機用の遊技島に設置することもできないという問題点があった。
【０００８】
本発明は、安定したリールユニットの設置状態が得られ、かつメンテナンス作業や新機種への交換作業等を楽に行い得るとともに、スロットマシンとパチンコ機との間で外枠を共通利用し得るようにしたスロットマシンを提供することを目的とするものである。
【課題を解決するための手段】
【０００９】
本発明は、パチンコ機用の遊技球を遊技媒体として遊技を行うものであって、パチンコ機用の遊技島に固定される、枠下端部の前面に幕板が配設された外枠と、該外枠の前面に開閉可能に取り付けられた前枠と、該前枠の背面側に取り付けられた裏機構板と、リールユニットとを備えてなるスロットマシンにおいて、前記外枠の左右の側杆部の杆内面に支持される、該側杆部に比して短尺の左右の縦杆部と、該外枠の、前記幕板の裏側に隠れた底杆部の杆上面に支持される横杆部とから構成される金属製内枠体を備えてなり、該金属製内枠体を外枠に係脱可能とする係脱手段と、支持ブラケットを介して、金属製内枠体の左右の縦杆部間に略水平に保持された載置台とが、金属製内枠体に設けられ、該載置台上に前記リールユニットが保持されることを特徴とするスロットマシンである（請求項１）。ここで、前記外枠は木製の矩形枠状であり、パチンコ機用の木製外枠と同一形状に形成される。
【００１０】
かかる構成にあっては、金属製内枠体を、枠下端部の前面に幕板が配設された外枠に、該外枠の前面側から、外枠の後方に向かって下方傾斜させて横杆部を幕板の裏側に挿入した後、起立させることによって、該横杆部を外枠の底杆部の杆上面に支持させ、かつ、左右の縦杆部を夫々に外枠の左右の側杆部の杆内面に支持させるようにして、外枠の内側に金属製内枠体を取り付けることができる。また、逆に、金属製内枠体を、後方に下方傾斜させて左右の縦杆部の上部を外枠の前面側に突出させた後、該傾斜状態で外枠から前面側に取り外すことができる。ここで、金属製内枠体が、外枠の左右側杆に比して短尺の左右の縦杆部により構成されていることから、外枠に取り付ける場合に該外枠に対して傾斜させて起立させることや、取り外す場合に起立している状態から傾斜させることを容易に行うことができることとなっている。そして、係脱手段により、金属製内枠体を前面側から取り付けて外枠に係止できるため、該金属製内枠体を外枠に固着することができる。さらに、係脱手段により、外枠との係止状態を解除して前面側から取り外すこともできるため、これら取り付け作業及び取り外し作業を容易かつ適正に行うことができ得る。
【００１１】
また、上記したように、この金属製内枠体は、左右の縦枠部の杆外面が外枠の左右の側杆部の各杆内面に接触して支持されると共に、横杆部が外枠の底杆部の杆上面に接触して支持されるようにしている。そして、この金属製内枠体には、支持ブラケットを介して保持された載置台が配設され、該載置台上にリールユニットを保持している。これにより、載置台上に保持されるリールユニットの重量が、金属製内枠体を介して外枠の左右の側杆部と底杆部とに分散されることから、リールユニットが堅牢に保持されるため、回転リールの回転中における揺動が抑制され、該回転リールの回転状態を安定させることができる。また、重量のあるリールユニットが前枠側に配設されていないため、メンテナンス時における前枠の開閉操作を楽に行うことができる。さらに、前枠の背面側に取り付けられる裏機構板の球供給機構などの形状に応じて、支持ブラケットや載置台の形状を適宜変更することにより、様々なタイプの機種に対応することが可能である。
【００１２】
このような金属製内枠体は、外枠に取り付けた状態で、リールユニットを保持したり外したりすることができるだけでなく、予めリールユニットを保持した状態で、外枠に取り付けたり取り外したりすることも可能である。これにより、新機種に交換（パチンコ機の盤替えに相当）する場合には、リールユニットを保持した状態の金属製内枠体を取り替えることにより交換することができるため、重量のあるリールユニットを遊技店内で交換する作業を容易に行うことができ、作業者の負担を軽減でき得る。また、リールユニットを金属製内枠体に保持する作業を、予め工場内で行うことにより、遊技店内で取り付け作業を行う場合に比して、リールユニットを正確かつ強固に保持させることができる。尚、リールユニットを工場内で金属製内枠体に保持した場合にあっても、該金属製内枠体が外枠に取り付けられることにより、該リールユニットは安定して設置されることとなる。
【００１３】
ここで、リールユニットを載置する載置台は支持ブラケットを介して金属製内枠体に取り付けられ、該金属製内枠体が外枠に取り付けられることから、この外枠自体に別途加工を施す必要がなく、金属製内枠体を外枠から取り外すと、該外枠はパチンコ機用の外枠としても使用可能である。
【００１４】
このようなスロットマシンにあって、金属製内枠体が、横杆部の左右両側に縦杆部が連成された略Ｕ字形状に形成されてなり、該縦杆部の少なくとも上端後部に、縦杆部の下部を支点として前面側に傾動した場合に、外枠の上部と干渉を生じないようにする逃げ面が形成されていると共に、両縦杆部に夫々取り付けられた支持ブラケットにより載置台を両持ち状に固定してなるものとした構成が提案される（請求項２）。
【００１５】
このように、金属製内枠を略Ｕ字形状とし、縦杆部の上端後部に逃げ面を形成したことにより、該金属製内枠体を外枠に前面側から取り付ける場合に、縦杆部の下部を支点として後方に向かって下方傾斜させて挿入した後起立させる時や、前面側に取り外す場合の、後方に下方傾斜させる時に、金属製内枠体の上部が、外枠上部に接触することなく、比較的容易に起立させたり、傾斜させたりできるようにしている。また、載置台を、両縦杆部に支持ブラケットにより両持ち状に固定するようにしたことから、略Ｕ字形状とした金属製内枠体にあっても、リールユニットの設置状態及び回転リールの回転状態を充分に安定させることができ得る。
【００１６】
また、上述したスロットマシンにあって、金属製内枠体に設けられた係脱手段が、外方に付勢され、外枠の側杆部の裏側縁に当接する弾性係止片と、該枠杆の表側縁に当接する鍔部とからなる係脱部材で構成され、該係脱部材が、弾性係止片と鍔部とにより外枠の側杆部を表裏側から挟持することにより、外枠に金属製内枠体が係止されるようにしたものとした構成が提案される（請求項３）。
【００１７】
かかる係脱部材にあっては、外枠に取り付けられる場合や取り外される場合には、付勢力に反して内方（付勢方向と反対方向）に弾性係止片を動かすことにより、上述したように当該金属製内枠体を、外枠の前面側から後方に下方傾斜させて取り付ける作業や取り外す作業を容易に行い得る。また、弾性係止片と鍔部とにより側杆部を表裏両側から挟持して、金属製内枠体を外枠に固定するようにしていることから、該金属製内枠体は外枠の表裏方向（前後方向）にも固着される。そして、上述したように金属製内枠体が外枠に面支持されることと共に、該金属製内枠体を一層強固に保持することができる。尚、この弾性係止片と鍔部とからなる係脱部材は、上述した係脱手段として、金属製内枠体を外枠に螺子や釘等で固定するようにした場合に比して、螺子や釘等の固定作業時に外枠と金属製内枠体との位置関係がずれたり、固定作業を誤る等の問題を生じない。さらには、外枠に、螺子や釘等の使用跡が残ることもないため、複数回の交換作業を行っても外枠の損傷を防止できるという優れた利点を有する。
【００１８】
ここで、本発明は、上述したようにパチンコ機と外枠を共有するようにしている。一般的に、パチンコ機を設置する外枠は、遊技盤に配設された遊技釘やセンターケース等から構成される遊技領域を遊技球が適切かつ円滑に流下又は転動するように、前方に傾斜させて遊技島に固定されている。このため、弾性係止片を、外枠の側杆部の裏側縁に当接するように設けていることにより、金属製内枠体が外枠に取り付けされている場合にあって、該金属製内枠体が前方へ倒れ込むことを確実に防止できるようにしている。また、外枠の側杆部の表側縁に当接する鍔部にあっては、前枠が閉鎖された場合に、該前枠と外枠とにより挟持されることとなる。これにより、金属製内枠体の安定性が一層向上する。
【００１９】
また、上述した支持ブラケットに、裏機構板に形成された上下方向の球流路との干渉を回避する回避部が設けられている構成が提案される（請求項４）。かかる構成にあっては、支持ブラケットが裏機構板の球流路と干渉することを回避部によって防止することができる。即ち、通常の裏機構板の上部には、遊技島の球供給設備から供給される遊技球を貯留しておく球タンクが設けられており、該球タンクから遊技球を流下させる上下方向の球流路がリールユニットの高さ位置より下方に至るように形成されている。従って、この球流路との干渉を回避する回避部を支持ブラケットに設けることにより、通常の裏機構板の構成を変更する必要がない。
【００２０】
一方、上述した 金属製内枠体に、その左右の縦杆部間に、遊技を制御する制御基板を封止装着する基板格納部が設けられている構成が提案される（請求項５）。ここで、スロットマシンを新機種に変換する場合にあっては、機種に依存する部材を交換することとなっている。例えば、機種名やキャラクタ等の機種独自の絵柄や装飾が配された装飾パネル、スロットマシンを制御する主制御基板や図柄制御基板や音声ランプ制御基板等の各種制御基板、複数の図柄が描かれた回転リールを有するリールユニット等である。このため、機種交換する場合には、多数の交換部品を運搬する必要があり、特に精密機械である制御基板は、運搬時に故障しないように、専用の運搬ボックス等に梱包して丁寧に運ばれている。かかる構成にあっては、機種交換する場合に、前記制御基板を金属製内枠体に配設した基板格納部に封止装着することにより、工場から遊技場に、前記専用運搬ボックス等を用いなくとも、安全に運搬できるようにしたものである。また、運搬時に制御基板を紛失することも防止できる。ここで、基板格納部を単なる運搬用として、遊技島に取り付けられる時に、該基板格納部から制御基板を取り外して、前枠の所定位置に取り付けるようにした構成とすることができる。又は、基板格納部がそのまま制御基板の配設位置として設定し、当該金属製内枠体が外枠に取り付けられることにより、該制御基板も設置される構成とすることもできる。前者の構成では、機種毎の制御基板が明確化することから、該制御基板を取り付ける際に、間違った機種の制御基板を取り付けることも防止できる。一方、後者の構成では、予め制御基板が保持された状態の金属製内枠体を交換することによって、当該制御基板も設置できることから、交換作業を一層軽減できる。尚、一部の制御基板は、後者の構成のように予め配設位置として設定し、他の制御基板は、前者の構成のように運搬して、改めて取り付けられるようにすることもできる。
【００２１】
さらに、かかる構成にあって、複数の制御基板を、予め配線用ケーブルにより接続しておくことも可能であり、これにより、機種交換時の作業負担を一層軽減できると共に、誤配線を防止でき得る。尚、基板格納部が制御基板を封止装着することにより、運搬時等で制御基板が不正に交換される等の行為を防止することができる。この制御基板を封止装着する方法としては、例えば、制御基板を基板格納部に装着した状態で、両者をワンウェイ螺子で固定し、該ワンウェイ螺子を取り外すための進行方向に封印壁を設けることにより、該ワンウェイ螺子を取り外した場合には封印壁が破られ、取り外した不正行為を明確に知ることができるようにする。
【００２２】
上記した基板格納部が、金属製内枠体に設けられた載置台の下方に固定され、該金属製内枠体の後方から制御基板を着脱可能とした構成が提案される（請求項６）。かかる構成にあっては、金属製内枠体を外枠に取り付けることにより、リールユニットと共に制御基板も設置できるようにしたものであり、制御基板の交換作業を一層軽減できる。また、制御基板を、金属製内枠体の後方からに限って装着及び取り外すことができることから、当該金属製内枠体を外枠に取り付けて固定した場合には、前面側から取り外すことができない。したがって、遊技島に取り付けられた状態で、前枠を開放して不正に制御基板を交換する等の不正行為を防止することができる。
【発明の効果】
【００２３】
上述したように、本発明のスロットマシンは、前記外枠の左右の側杆部の杆内面に支持される、該側杆部に比して短尺の左右の縦杆部と、該外枠の、前記幕板の裏側に隠れた底杆部の杆上面に支持される横杆部とから構成される金属製内枠体を備えてなり、該金属製内枠体を外枠に係脱可能とする係脱手段と、支持ブラケットを介して、金属製内枠体の左右の縦杆部間に略水平に保持された載置台とが、金属製内枠体に設けられ、該載置台上に前記リールユニットが保持されるようにしたものであるから（請求項１）、金属製内枠体を外枠の前面側から取り付けたり、取り外すことを容易に行い得る。また、リールユニットが載置台及び該金属製内枠体を介して外枠に堅牢に保持され得るため、回転リールの回転状態を安定させることができる。また、重量のあるリールユニットが前枠側に配設されていないため、メンテナンス時における前枠の開閉操作を楽に行うことができる。さらにまた、このリールユニットを保持した状態の金属製内枠体を、外枠に取り付けたり取り外すことができるため、重量のあるリールユニットを比較的容易に交換することができる。ここで、リールユニットを予め工場内で金属製内枠体に取り付けることから、遊技場内で取り付ける場合に比して、正確かつ強固に保持することもでき得る。
【００２４】
上述した金属製内枠体が、横杆部の左右両側に縦杆部が連成された略Ｕ字形状に形成されてなり、該縦杆部の少なくとも上端後部に、縦杆部の下部を支点として前面側に傾動した場合に、外枠の上部と干渉を生じないようにする逃げ面が形成されていると共に、両縦杆部に夫々取り付けられた支持ブラケットにより載置台を両持ち状に固定してなるものとした構成（請求項２）にあっては、外枠の前面側から取り付けたり取り外す場合に、金属製内枠体の上端が外枠上部に接触することなく、これら作業を容易に行うことができる。また、載置台を両縦杆部に両持ち状に固定していることから、リールユニットの設置状態及び回転リールの回転状態を充分に安定させることができ得る。
【００２５】
また、上述した金属製内枠体に設けられた係脱手段が、外方に付勢され、外枠の側杆部の裏側縁に当接する弾性係止片と、該枠杆の表側縁に当接する鍔部とからなる係脱部材で構成され、該係脱部材が、弾性係止片と鍔部とにより外枠の側杆部を表裏側から挟持することにより、外枠に金属製内枠体が係止されるようにした構成（請求項３）にあっては、弾性係止片を内方に動かすことによって、金属製内枠体を外枠に前面側から取り付ける作業や取り外す作業を容易に行い得ると共に、取り付けた場合に、弾性係止片と鍔部とにより側杆部を表裏側から挟持して、当該金属製内枠体を外枠に強固に固着保持することができる。また、この係脱部材は、外枠の枠内面に支持された状態で金属製内枠体を固着できるため、両者の位置関係がズレル等の問題を生じない。また、外枠に孔開けすること等を要しないから、複数回の交換作業を行っても外枠の損傷を防止できるという優れた利点を有する。
【００２６】
また、上述した支持ブラケットに、裏機構板に形成された上下方向の球流路との干渉を回避する回避部が設けられている構成（請求項４）にあっては、支持ブラケットが裏機構板の球流路と干渉することを回避部によって防止することができる。従って、通常の裏機構板の構成を変更する必要がない。
【００２７】
また、上述した金属製内枠体に、その左右の縦杆部間に、遊技を制御する制御基板を封止装着する基板格納部が設けられている構成（請求項５）にあっては、機種交換する場合に、制御基板を金属製内枠体に配設した基板格納部に封止装着することにより、専用運搬ボックス等を用いなくとも、該制御基板を工場から遊技場に安全に運搬できる。
【００２８】
ここで、基板格納部が、金属製内枠体に設けられた載置台の下方に固定され、該金属製内枠体の後方から制御基板を着脱可能とした構成（請求項６）にあっては、金属製内枠体を外枠に取り付けることにより、この制御基板を設置でき、制御基板の交換作業を一層軽減できる。また、制御基板は、金属製内枠体の後方からしか装着したり取り外すことができないから、当該金属製内枠体が外枠に取り付られている場合には、前面側から取り外すことができず、前枠を開放して不正に制御基板を交換する等の不正行為を防止することができる。
【発明を実施するための最良の形態】
【００２９】
以下に、本発明の実施の形態を、実施例によって具体的に説明する。
本発明にかかるスロットマシン１はパチンコ機用の遊技球ｘ（図７参照）を遊技媒体として遊技を行うものであって、図１〜図４に示すように、パチンコ機用の遊技島（図示省略）に固定される木製の外枠２を備えている。該外枠２は、板材を矩形枠状に組み付けて、一般的なパチンコ機の木製外枠と同一形状に形成されており、左右両側の側杆部２ａ，２ａと、上下の上杆部２ｂ及び底杆部２ｃとから構成されている。この外枠２の枠下端部には、前面に、左右の側杆部２ａ，２ａ間に亘って幕板２２が配設されている。この幕板２２は、パチンコ機にあって、遊技球を貯留する下受皿１３の直下に、該下受皿１３から該遊技球を受ける球箱を置くスペースを確保するために設けられているものであり、遊技球を遊技媒体として使用するパチンコ機及びスロットマシン１には必須のものとなっている。
【００３０】
この外枠２の幕板２２上の前面には、一側縁が上下のヒンジ部材３，３（図５参照）により枢結された前枠４が開閉可能に取り付けられている。前枠４は、図６に示すように、その中央部上方寄り位置に開口部５が形成されており、該開口部５には、前面に意匠板６が取り付けられる遊技盤７が嵌着される。意匠板６は、前面に適宜の絵柄からなる装飾が施されており、その略中央部には、後述する回転リール６３ａ〜６３ｃの図柄Ｐ（図２参照）を前方から視認可能とする表示窓８ａ〜８ｃが形成されている。左側に位置する表示窓８ａの左側部には、有効な入賞ラインを遊技者に報知する入賞ラインランプ９（図２参照）が設けられる。また、該表示窓８ａ〜８ｃの下方には、遊技盤７に取り付けられた各種表示器１０〜１２（図２参照）が横一列状に配設される。ここで、表示器１０にはレギュラーボーナス中の入賞回数等が表示され、表示器１１には一回の入賞により獲得した賞球数が表示され、表示器１２には払出動作が完了していない遊技球数が表示される。また、前枠４の前面下部には下受皿１３が配設されており、前枠４には該下受皿１３内に臨むように球放出口１４が形成されている。この下受皿１３には後述する上受皿１５からオーバーフローした遊技球やキャンセル操作により返却される遊技球が球放出口１４から流入して貯留される。また、下受皿１３には、その底面に形成された開口を開閉する球抜きスライダー１６（図２参照）が設けられており、遊技者がこの球抜きスライダー１６を移動操作することにより開口が開放され、下受皿１３内の遊技球が下方に排出される。
【００３１】
前枠４の前面側には、ヒンジ部材（図示省略）により一側縁が枢結された前扉１７が開閉可能に取り付けられている。この前扉１７は、ガラスまたは合成樹脂からなる透明な被覆板が嵌め込まれた窓部１８を備えており、該窓部１８から上述した表示窓８ａ〜８ｃに表出する回転リール６３ａ〜６３ｃの図柄Ｐや各種表示器１０〜１２を視認し得るようになっている。窓部１８の左右両側には装飾ランプ１９が配設されており、その上部の左右両側にはスピーカー２０が配設されている。この装飾ランプ１９及びスピーカー２０を用いて遊技状態に応じた所定の点滅光や効果音による演出が行われる。また、窓部１８の下部にはカード操作部２１（図２参照）が配設されている。該カード操作部２１は、スロットマシン１の側部に装着される図示しないプリペイドカードユニットに投入されたプリペイドカードを遊技客に返却するよう指示するカード返却ボタン２５と、所定個数単位の遊技球を貸球として払い出すよう指示する球貸ボタン２６と、カードユニットに投入したプリペイドカードの残高を表示する度数表示器２７とによって構成されている。
【００３２】
また、前扉１７の下部には、上受皿１５が一体形成された遊技操作部３９が配設されている。この遊技操作部３９には、その前壁面にスタートレバー４１，ストップボタン４４〜４６，球抜／キャンセルボタン６５が設けられており、さらに上壁面の右側にＭＡＸＢＥＴボタン４２ａと１ＢＥＴボタン４２ｂが設けられている。そして、これらのボタンやレバーの操作により遊技が実行される。ここで、ＭＡＸＢＥＴボタン４２ａと１ＢＥＴボタン４２ｂは、賭数単位で遊技球を投入するための投入スイッチを構成するものであり、後述するように、これらのボタン操作により上受皿１５内の遊技球が自動的に前枠４の背面側へ取り込まれる。この遊技球の取り込みによる遊技可能な状態において、スタートレバー４１を押し下げると、各回転リール６３ａ〜６３ｃの回転が開始される。ストップボタン４４〜４６は回転リール６３ａ〜６３ｃの停止操作に用いるものであり、回転リール６３ａ〜６３ｃの回転中にこれらのボタンを押圧操作すると、その操作タイミングに基づいて遊技制御装置が各ストップボタン４４〜４６に対応する回転リール６３ａ〜６３ｃを停止させる。また、球抜／キャンセルボタン６５は、上受皿１５内の遊技球及び前枠４の背面側へ取り込まれた遊技球をキャンセルして排出させるためのものであり、遊技者が該球抜／キャンセルボタン６５を押圧操作すると、これらの遊技球が流下して下受皿１３へ放出される。また、上記スタートレバー４１，ＢＥＴボタン４２ａ〜４２ｂ，ストップボタン４４〜４６は夫々スイッチとランプを備えており、各レバー及びボタンの操作は各スイッチのＯＮ作動により後述する主制御基板１００（図１５参照）に伝えられるとともに、夫々のランプの点灯によりボタン操作が有効であることを遊技者に報知するようになっている。
【００３３】
前記上受皿１５は、その内部が遊技球を貯留する貯留領域３６となっており、該貯留領域３６内に臨むようにして前扉１７の左側に開口された球供給口４７から遊技球が流入する。また、貯留領域３６に貯留された遊技球は、該貯留領域３６の右側に形成された球流出口５８（図４参照）から順次流出し、後述する球取込装置５０により所定数（例えば５個）を一単位として取り込まれる。ここで、貯留領域３６には、遊技球ｘを一列状に整列させて球流出口５８へ転動させる下方傾斜した細長溝状の整流通路５４（図４参照）が設けられている。また、貯留領域３６の底面は、該整流通路５４へ向かって下方傾斜しており、遊技球を整流通路５４へ順次流入させ得るようになっている。
【００３４】
前記整流通路５４は、少なくとも賭数三単位分の遊技球（例えば１５個）を一列に整列し得る長さとなっている。この整流通路５４には、図７に示すように、整列した遊技球を賭数単位毎に検出する貯留球検知スイッチ９５ａ〜９５ｃが設けられている。即ち、例えば賭数一単位を遊技球５個とした場合、先頭から５個目、１０個目および１５個目に対応する位置に各貯留球検知スイッチ９５ａ〜９５ｃが配設される。これらの貯留球検知スイッチ９５ａ〜９５ｃは、夫々の位置に遊技球ｘが存在するとＯＮ作動するものであり、かかるスイッチ９５ａ〜９５ｃの作動状況に基づいて、主制御基板１００（図１５参照）によって整流通路５４に５個（賭数一単位）以上、１０個以上若しくは１５個（賭数三単位）以上の遊技球ｘが存在しているか否かが判定される。
【００３５】
また、整流通路５４の底部は、図８に示すように、前扉１７に取り付けられた整列底板５９で構成されており、該整列底板５９の終端に球取込装置５０を構成するスプロケット７１が配設されている。該球取込装置５０は、整流通路５４上の遊技球を賭数単位で取込通路４８側に取り込むためのものであり、図８〜図１０に示すように、電気的駆動装置としての取込モータ７２と、該取込モータ７２の作動により回転するスプロケット７１と、遊技球検出手段としての取込球検知スイッチ７７とによって構成されている。取込モータ７２は、ステッピングモータからなり、主制御基板１００（図１５参照）に接続されて、該主制御基板１００からの制御信号に応じた回転角度で、スプロケット７１を回転駆動させる。スプロケット７１は、整列底板５９の幅寸法と略等しい厚み寸法を有するとともに、その周部に、遊技球ｘを一個ずつ収容可能な三つの凹部７０が等間隔に形成された略Ｙ字型をなすものであり、各凹部７０の間が、その外周面で遊技球を停留させる停留部７３となっている。
【００３６】
スプロケット７１は、整流通路５４の終端の直下に位置しており、該スプロケット７１の何れかの凹部７０が上方に向いた状態では、整列底板５９の終端から落下する一つの遊技球ｘを凹部７０内に収容可能となる。一方、図１０に示すように、スプロケット７１の何れかの停留部７３が球流出口５８に向いた状態では、遊技球ｘが該停留部７３の外周面によって停留されるとともに、該停留部７３の回転方向の前側に位置する凹部７０が取込通路４８と連通する。これにより、該凹部７０に収容されていた遊技球ｘは、前扉１７及び前枠４を貫通するように形成されている球取込口４９から後述する裏機構板３７の取込通路４８に流入する。また、各停留部７３の外周面は前扉１７側に向けて下方傾斜しており、整流通路５４の先頭で停留されている遊技球ｘを、後述する返却通路４５の返却口８０方向へ案内し得るようになっている。
【００３７】
前記取込球検知スイッチ７７は、図９，図１０に示すように、スプロケット７１の側部に臨む位置で取込通路４８の基端部に配設されている。この取込球検知スイッチ７７は主制御基板１００に接続されており、球取込装置５０により取り込まれた遊技球ｘが取込通路４８に流入する度に、この取込球検知スイッチ７７がＯＮ作動し、これにより、主制御基板１００（図１５参照）が遊技球ｘを取り込んだと判断する。
【００３８】
また、整流通路５４の先頭で停留される遊技球ｘに対応する位置には、前扉１７及び前枠４を貫通する返却口８０が形成されている。該返却口８０には、図９に示すように、返却用ソレノイド８５により進退駆動される開閉片８１が前枠４の裏面側に配設されており、通常時は該開閉片８１が進出位置にあって返却口８０は閉鎖されている。返却用ソレノイド８５は、遊技操作部３９に設けられた前記球抜／キャンセルボタン６５と電気的に連繋しており、該球抜／キャンセルボタン６５を押圧操作している間だけ返却用ソレノイド８５がＯＮ作動して開閉片８１が後退し、返却口８０が開放される。また、該返却口８０は後述する裏機構板３７の返却通路４５と連通しており、返却口８０から流入した遊技球ｘは返却通路４５を介して下受皿１３の球放出口１４へ送られる。
【００３９】
前枠４の背面側には、ヒンジ部材４０，４０（図９参照）により一側縁が枢結された裏機構板３７が開閉可能に取り付けられている。該裏機構板３７の背面には、図１１に示すように、基板ユニット３８が装着されており、該基板ユニット３８には、電子回路が組み込まれた所定の制御基板（図１５参照）が内蔵されている。裏機構板３７の上部には、図１１，図１２に示すように、遊技島の球供給装置（図示省略）から遊技球の供給を受ける球タンク３０が設けられている。該球タンク３０は、裏機構板３７の側部に偏倚させて形成された上下方向の球供給通路３１を介して、上述した下受皿１３の球放出口１４と連通しており、該球供給通路３１の中途位置に設けられた払出装置３２が作動すると、球タンク３０側に位置する所定数の遊技球が払い出される。この払出装置３２から払い出された遊技球は、通常は、球供給通路３１の途中に設けられた球供給口４７から上受皿１５の貯留領域３６内へ流入するが、該貯留領域３６が満杯である場合には、球供給口４７からオーバーフローした遊技球が球放出口１４から下受皿１３へ放出される。
【００４０】
また、裏機構板３７の下部には、上述した取込通路４８と返却通路４５とが設けられている。返却通路４５は、上述した返却口８０から流入した遊技球を流下させて、下受皿１３の球放出口１４へ放出させるものであり、その終端部は前記球供給通路３１の終端部に連通されている。取込通路４８は、その途中に設けられた振分け装置３３を介して二股状に分岐されており、図１２に示すように、その一方の分岐路５１ａは前記球供給通路３１の終端部に連通され、他方の分岐路５１ｂは遊技島の球回収装置（図示省略）に臨ませて開放されている。そして、上述した球取込口４９から流入して流下する遊技球は、振分け装置３３によって下受皿１３の球放出口１４と、遊技島の球回収装置の何れかに放出される。
【００４１】
前記振分け装置３３は、図１３（イ），（ロ）に示すように、取込通路４８を遮断可能なスプロケット５２と、該スプロケット５２を正逆両方向に選択的に回転させる振分けモータ５３と、スプロケット５２の直上に配設された停留球検知スイッチ５５とによって構成されている。ここで、スプロケット５２は上述した球取込装置５０のスプロケット７１と同一形状のものであって、その周部に、遊技球を一個ずつ収容可能な三つの凹部５６を備え、各凹部５６の間が、その外周面で遊技球を停留させる停留部５７となっている。振分けモータ５３は、ステッピングモータからなり、主制御基板１００（図１５参照）に接続されて、該主制御基板１００からの制御信号によって正逆何れかの方向に回転駆動されるとともに、スプロケット５２の何れかの停留部５７が上方に向いた状態で停止するように制御される。そして、上述した球取込口４９から取込通路４８に取り込まれた賭数単位の遊技球は、図１４（イ）に示すように、スプロケット７１の停留部５７によって一旦停留され、この状態で上述したスタートレバー４１が押し下げられると、主制御基板１００（図１５参照）からの制御信号に基づいて、振分けモータ５３が図中時計回りに回転駆動され、スプロケット５２が同方向に回転して、図１４（ロ）に示すように、遊技球が分岐路５１ｂを介して遊技島の球回収装置側へ排出される。この時、振分けモータ５３の回転駆動は、スプロケット５２の直上に配設されている停留球検知スイッチ５５によって遊技球が検知されなくなるまで、即ち、取込通路４８に取り込まれた賭数単位の遊技球がなくなるまで継続される。また、スプロケット７１の停留部５７によって賭数単位の遊技球が停留されている状態において、球抜／キャンセルボタン６５が押圧操作されると、主制御基板１００（図１５参照）からの制御信号に基づいて、振分けモータ５３が図中反時計回りに回転駆動され、スプロケット５２が同方向に回転して、図１４（ハ）に示すように、遊技球が分岐路５１ａを介して球供給通路３１の終端部側へ送られる。これにより、取込通路４８に一旦取り込まれた遊技球は、球放出口１４から下受皿１３へ返却されるようになっている。
【００４２】
一方、前記外枠２には、図５に示すように、本発明の要部にかかる金属製内枠体７４が、該外枠２の前面側から取り付け及び取り外しができるように設けられている。そして、この金属製内枠体７４には、支持ブラケット６０，６０を介して載置台６１が配設されており、該載置台６１上に複数の回転リール６３ａ〜６３ｃを有するリールユニット６２が載置されて支持されている。ここで、リールユニット６２は、複数の回転リール６３ａ〜６３ｃと、各回転リール６３ａ〜６３ｃを夫々駆動するための複数のリール駆動モータ（図示省略）と、各リール駆動モータを回転制御する制御基板を収めた制御基板ボックス（図示省略）とを、堅牢な収納フレーム６４の所定位置に組み付けてユニット化したものであり、各回転リール６３ａ〜６３ｃの外周面には多種類の図柄Ｐ（図２参照）が表示されている。そして、この回転リール６３ａ〜６３ｃの図柄Ｐを上述した表示窓８ａ〜８ｃに表出し得る状態で、リールユニット６２が外枠２に配設されている。また、リールユニット６２の制御基板ボックス（図示省略）は、図示しない配線を介して主制御基板１００（図１５参照）と電気的に接続されている。尚、前記した金属製内枠体７４、載置台６１、及びリールユニット６２の配設態様は本発明の要部にかかるものであり、詳しくは後述する。
【００４３】
図１５は、本発明にかかるスロットマシン１の遊技制御装置を構成する制御回路を示すものである。
マイクロコンピュータにより構成される主制御基板１００には、スロットマシン１の遊技作動を統括的に制御するための主制御用中央制御装置（ＣＰＵ）を備えた基板回路が設けられている。この主制御基板１００の基板回路には、周辺機器とデータ通信を行う入力ポート及び出力ポート（図示省略）が設けられており、この出力ポートを介して主制御基板１００からの制御信号が、払出制御基板１０１，表示制御基板１０２，音声ランプ制御基板１０３，情報端子基板１０５の各入力ポートに向けて出力されるようになっている。また、主制御基板１００の入力ポートには、上述したスタートレバー４１，各ＢＥＴボタン４２ａ〜４２ｂ，ストップボタン４４〜４６，球抜／キャンセルボタン６５のスイッチが接続されており、主制御基板１００は所定時間毎（例えば２ｍｓ毎）にこれらのスイッチのＯＮ作動状態を調べ、そのＯＮ作動に応じて遊技状態を制御する。また、主制御基板１００には、整流通路５４に設けられた貯留球検知スイッチ９５ａ〜９５ｃや、球取込装置５０の取込モータ７２，取込球検知スイッチ７７が接続されている。
【００４４】
上記払出制御基板１０１には、遊技球の払出作動の制御を行うための基板回路が設けられる。この基板回路は、裏機構板３７の払出装置３２と接続されており、主制御基板１００から送出されるコマンドに従い払出装置３２を作動させて、貸球や賞球の払い出しを実行する。また、払出制御基板１０１は、貸球数を記憶したプリペイドカードの読込みや書込みを行う付属装置であるカードユニットと、このプリペイドカードのデータ処理を中継するＣＲ接続基板１０４を介して接続され、遊技球の残球データ等をやり取りする。さらに、払出制御基板１０１には、前記球タンク３０内の球切れを検出するための球切れスイッチや、球放出口１４の奥に設けられて、下受皿１３が遊技球で満杯になったことを検知するための満タンスイッチが接続されている。
【００４５】
上記表示制御基板１０２は、回転リール６３ａ〜６３ｃの停止制御を行うための基板回路が設けられる。この基板回路には、各回転リール６３ａ〜６３ｃを回転駆動するリール駆動モータと、回転リール６３ａ〜６３ｃの回転角度を検出する基準位置センサとが接続され、主制御基板１００から送出されるコマンドに従ってリール駆動モータを作動させ、各回転リール６３ａ〜６３ｃを回転させるとともに、所定回転角度で停止させる。また、表示制御基板１０２は、回転リール６３ａ〜６３ｃの下方に設けられた各種表示器１０〜１２と接続されており、それぞれに基づく内容を表示する。
【００４６】
上記音声ランプ制御基板１０３には、各スピーカ（２０等）に接続されており、効果音や音声の出力制御を行うと共に、入賞ラインランプ９や、遊技操作部３９に設けられるスタートランプや各種ボタン４２ａ〜４２ｃ，４４〜４６に内蔵されたランプとも接続されており、主制御基板１００から送出されるコマンドに従い各種ランプを点灯制御して、入賞ラインやボタン操作が有効となったことを遊技者に報知する。さらに、音声ランプ制御基板１０３には装飾ランプ１９が接続されており、主制御基板１００から送出されるコマンドに従って遊技状態に応じて所定態様で装飾ランプ１９が点灯，点滅される。
【００４７】
また、上記情報端子基板１０５は、遊技島に設備される集中管理装置と接続するためのものであり、主制御基板１００や払出制御基板１０１から送られた賞球数や大当り回数等の情報が、この情報端子基板１０５を介して集中管理装置へ送信される。
【００４８】
次に、本発明の要部について説明する。
図５に示すように、遊技島に固定されている外枠２に、リールユニット６２を載置して保持する載置台６１を支持ブラケット６０，６０により両持ち状に保持した金属製内枠体７４が配設される。この金属製内枠体７４は、図１７に示すように、外枠２の底杆部２ｃの杆内面に倣う形状とした横杆部７４ｂと、該横杆部７４ｂの左右両端に連結されて上方に起立して、側杆部２ａ，２ａの杆内面に倣う縦杆部７４ａ，７４ａとから構成される略Ｕ字形状に形成されている。ここで、金属製内枠体７４の左右両側の縦杆部７４ａ，７４ａは、外枠２の側杆部２ａ，２ａに比して短尺に形成されている。そして、この金属製内枠体７４が、外枠２に配設された場合には、横杆部７４ｂが底杆部２ｃの杆上面と面接触して面支持されると共に、左右両側の縦杆部７４ａ，７４ａが左右の側杆部２ａ，２ａの杆内面に夫々に面接触して面支持されるようになっている（図２１参照）。この左右両側の縦杆部７４ａ，７４ａは、その上端縁が枠幅方向で上方に凸する半円形状に形成されている。この半円形状の後側１／４円弧部は、当該金属製内枠体７４を、その下部を支点として後方に向かって下方傾斜させた状態から起立させる場合や、起立した状態から下方傾斜させる場合に、外枠２の上杆部２ｂに、縦杆部７４ａ，７４ａが干渉しないようにする逃げ面７５となっている（図２０参照）。さらにまた、この左右両側の縦杆部の上部に、作業者が持ち運びし易いように、取手口９３，９３が設けられている。
【００４９】
この縦杆部７４ａ，７４ａには、上部及び下部にそれぞれ係脱部材９０が一体的に形成されている。この係脱部材９０は、縦杆部７４ａの表側縁から外方向に屈曲する鍔部９１と、該鍔部９１と対向する裏側縁から表側に切り込まれて、内外方向に傾動可能とする弾性板部９２ｂ及び、該弾性板部９２ｂの裏側縁から外方に屈曲する係止片部９２ａからなる弾性係止片９２とから構成されている。尚、この弾性係止片９２は、弾性板部９２ｂが縦杆部７４ａと面一な状態で安定しており、内外方向に傾動させると、該面一な状態に戻ろうとする反力が生じることとなる。すなわち、内方向に傾動された場合には、外方向に付勢力が発生する。そして、この係脱部材９０は、鍔部９１と弾性係止片９２の係止片部９２ａとの表裏方向間隔が、外枠２の側杆部２ａの表裏方向（前後方向）幅と同じとしている。これにより、金属製内枠体７４が外枠２に取り付けられた状態で、鍔部９１が外枠２の側杆部２ａの表側縁に当接し、弾性係止片９２の係止片部９２ａが側杆部２ａの裏側縁に当接して、該鍔部９１と係止片部９２ａとにより側杆部２ａを挟持するようになっている。
【００５０】
一方、この金属製内枠体７４には、左右両側の縦杆部に夫々に連結される支持ブラケット６０，６０により両持ち状に保持される載置台６１が配設されている。この支持ブラケット６０，６０及び載置台６１は、折曲加工された金属板からなるものであって、図１６に示すように、載置台６１は、リールユニット６２を載置可能な矩形状の主板部６６ａと、該主板部６６ａの前縁に下方曲成された前壁部６６ｂと、主板部６６ａの後縁に上方曲成された後壁部６６ｃとを備えている。さらに、この載置台６１には、前壁部６６ｂの下縁から後方曲成された基板支持部８６ａと、該基板支持部８６ａの左右両側縁に上方曲成された側壁部８６ｂとから構成される基板格納部８６が、該前壁部６６ｂにより吊持されるようにして固定されている。この基板格納部８６は、載置台６１の主板部６６ａと、前壁部６６ｂと、基板支持部８６ａと、左右両側の側壁部８６ｂ，８６ｂとによって、上下左右及び前方を囲繞してなり、唯一後方から制御基板を脱着可能としている。尚、この側壁部８６ｂは、基板支持部８６ａから僅かな高さに形成されているだけであり、後述するように、支持ブラケット６０，６０が、この側壁部８６ｂの上方を介して、前壁部６６ｂと接合されるようになっている。この基板格納部８６には、上述した表示制御基板１０２を横置きに配設される（図１８参照）。また、壁部６６ｂには、横方向に沿って開口する長方形状の配線開口８２が設けられており、この基板格納部８６に配設された表示制御基板１０２と他の制御基板とを繋ぐ配線が、この配線開口８２を介して各々に接続される（図１８（ロ）参照）。
【００５１】
また、支持ブラケット６０，６０は、図１６に示すように左右一対に設けられ、平面視において夫々略コ字形に形成されており、その内端側に内方曲成された内端取付片部６７ａ，６７ａを備え、外端側には後述する金属製内枠体７４と連結される外端取付片部６７ｂ，６７ｂを備えている。そして、支持ブラケット６０の内端取付片部６７ａを載置台６１の前壁部６６ｂの裏面にビス止めして固着することにより、支持ブラケット６０，６０と載置台６１とが一体化されており、載置台６１の左右側縁の前後方向中間位置から支持ブラケット６０，６０の外端側が外側方に延出されている。ここで、両支持ブラケット６０，６０の外端取付片部６７ｂ，６７ｂの相互間隔は、後述する金属製内枠体７４の横幅寸法に略一致するように設定されている。また、このように支持ブラケット６０，６０を略コ字形に形成することにより、図１６に示すように、前方が開放された凹部６８，６８が生じるようにしており、該凹部６８，６８の１つが、裏機構板３７の側部に偏倚させて形成された球流路としての上下方向の球供給通路３１との干渉を回避する回避部となっている。
【００５２】
そして、載置台６１を一体化された支持ブラケット６０，６０は、上記した金属製内枠体７４の左右の側杆部７４ａ，７４ｂの内面に、外端取付片部６７ｂ，６７ｂをビス止めにより固着される。これにより、載置台６１が、金属製内枠体７４の所定高さ位置に、支持ブラケット６０，６０により両持ち状に保持されることとなっている。
【００５３】
ここで、表示制御基板１０２には、下部両側縁の前後位置に外方に突成された固定用螺子孔部９６が四箇所設けられている。この固定用螺子孔部９６を、上記基板支持部８６ａに螺子止めすることにより、図１８のように、表示制御基板１０２を当該基板格納部８６に固着するようにしている。尚、本実施例にあっては、表示制御基板１０２を固着後、基板格納部８６の後方部位に封印テープを貼り付け（図示省略）、当該表示制御基板１０２を封止装着する。これにより、当該金属製内枠体７４を外枠２に配設する前に、表示制御基板１０２が不正に取り外されないようにしている。
【００５４】
尚、この表示制御基板１０２には、図２１のように、上記した裏機構板３７に設けられた基板ユニット３８に配設される他の制御基板と接続するための配線ケーブル９７が予め取り付けられる。そして、工場から遊技場に運搬され、当該金属製内枠体７４を外枠に取り付けた時に、この配線ケーブル９７を、基板ユニット３８の他の制御基板と接続させることにより、設置作業を容易に行うことができる。
【００５５】
さらにまた、この金属製内枠体７４には、図１８に示すように、横杆部７４ｂの杆上面に制御基板を装着する基板格納部８７、８７が二個並設されている。この基板格納部８７，８７は、上方開口された収納凹部８７ａ，８７ａを備えてなり、該収納凹部８７ａ，８７ａに制御基板を起立した状態で挿入して装着できるようになっている。この収納凹部８７ａは、制御基板の一面側に左右両方に突成された四箇所の固定用螺子孔部９６の中で、挿入方向下部に設けられた二箇所の固定用螺子孔部９６が挿入され得る深さに形成されている。そして、収納凹部８７ａの、固定用螺子孔部９６，９６に対向する前後両側には、ワンウェイ螺子９９を挿入する螺子挿入孔９８が設けられており、図１９に示す基板格納部８７の断面図のように、固定用螺子孔部９６の前面側で面接触する位置に該ワンウェイ螺子９９の雌螺子を備えたボス部９８ａが設けられている。さらには、後方の螺子挿入孔９８には、ワンウェイ螺子９９を螺進させることにより破ることが可能な封印壁部９８ｂが形成されている。すなわち、所定の制御基板を基板格納部８７，８７の収納凹部８７ａ、８７ａに挿入後、図１９（イ）のように、前方よりワンウエイ螺子９９を螺子挿入孔９８から挿入して、図１９（ロ）のように、ボス部９８ａと該制御基板の固定用螺子孔部９６とを螺子止めすることによって、この制御基板を基板格納部８７に封入装着する。ここで、ワンウェイ螺子９９は、一方向にしか螺進することができないものであるから、制御基板を基板格納部８７から取り外すためには、図１９（ハ）のように、該ワンウェイ螺子９９を螺進させて螺子挿入孔９８の反対側から外さねばならなく、封印壁部９８ｂを破ることとなり得る。したがって、不正に制御基板が基板格納部８７から取り外された場合には、この封印壁部９８ｂが破られていることとなるため、不正の発生を明確に知ることができる。
【００５６】
このように、金属製内枠体７４の横杆部に基板格納部８７，８７が設けられていることにより（図１８（ロ）参照）、この基板格納部８７，８７に制御基板を封入装着して、遊技場に運搬することができる。ここで、実施例にあっては、上述した主制御基板１００と音声ランプ制御基板１０３を基板格納部８７，８７に封入装着して運搬するようにしている。そして、金属製内枠体７４が遊技場まで運ばれて機種交換する作業時に、基板格納部８７から主制御基板１００と音声ランプ制御基板１０３を取り外して、上述した裏機構板３７に設けられた基板ユニット３８に配設する。このように、金属製内枠体７４の基板格納部８７に封入装着して制御基板を運搬できるようにしたことにより、上記したように、運搬中にこれら制御基板が不正に交換されることを防止でき、制御基板専用の運搬ボックス等を用いなくとも、安全に運搬することができる。
【００５７】
このように、金属製内枠体７４に配設された載置台６１には、その主板部６６ａ上にリールユニット６２が載置される（図５参照）。ここで、リールユニット６２を構成する収納フレーム６４の下部前縁には、図１８に示すように、取付鍔部６９が下方突成されており、該取付鍔部６９を載置台６１の前壁部６６ｂに対してビスまたは専用固定具を用いて止着することにより、リールユニット６２を載置台６１に固定するようにしている。
【００５８】
次に、上述した金属製内枠体７４を、遊技島に配設された外枠２に取り付ける過程を説明する。
新規機種への交換する場合にあって、新規機種の金属製内枠体７４には、予め、リールユニット６２を載置台６１に固定し、表示制御基板１０２を該載置台６１に吊持した基板格納部８６に配設し、また、横杆部７４ｂの基板格納部８７，８７に主制御基板１００及び音声ランプ制御基板１０３を封入装着してあり（図１８（ロ））、工場から遊技場に運搬される。
【００５９】
このように遊技場に運搬された金属製内枠体７４は、所定の外枠２に取り付けられる。すなわち、図２０に示すように、金属製内枠体７４を、後方に向かって下方傾斜させる。そして、図２０（ロ）のように、外枠２の幕板２２に接触しないように横杆部７４ｂから外枠２内に進入させる。この時、左右の縦杆部７４ａ，７４ａの下部に設けられた係脱部材９０，９０は、各弾性係止片９２の係止片部９２ａがそれぞれ内方に傾動されることとなる。横杆部７４ｂが幕板２２を乗り越えた状態で、金属製内枠体７４を、縦杆部７４ａ，７４ｂの上端が外枠２の上杆部２ｂに接触しないようにして、該金属製内枠体７４の下部を支点として傾動して起立させる。これにより、図２０（ハ）のように、横杆部７４ｂが外枠２の底杆部２ｃの杆上面に面接触して面支持され、左右両側の縦杆部７４ａ，７４ａが外枠２の左右の側杆部２ａ，２ａの杆内面に夫々に面接触して面支持される。ここで、金属製内枠体７４を下方傾斜した状態から起立させる間の傾動時には、左右の縦杆部７４ａ，７４ａの上部の係脱部材９０，９０も、各弾性係止片９２の係止片部９２ａがそれぞれ内方に傾動される。そして、内方に傾動した四箇所の係止片部９２ａは、金属製内枠体７４が起立状態となると、縦杆部７４ａ，７４ａと面一な安定状態に復帰して、外枠２の側杆部２ａ，２ａの裏側縁に係合すると共に、鍔部９１が側杆部２ａ，２ａの表側縁に係合する。これにより、金属製内枠体７４の係脱部材９０が、外枠２の左右の側杆部２ａ，２ａを表裏方向（前後方向）で挟持することとなり、当該金属製内枠体７４を外枠２に固定保持させる。このようにして、金属製内枠体７４が、図２１のように、リールユニット６２や制御基板を配した状態のまま、外枠２に取り付けられる。
【００６０】
尚、金属製内枠体７４の横杆部７４ｂの基板格納部８７，８７に封入装着されている主制御基板１００と音声ランプ制御基板１０３は、該金属製内枠７４と外枠２に取り付ける前か取り付けた後のいずれかで、取り外されて、裏機構盤３７の基板ユニット３８に配設される。
【００６１】
上述したように、金属製内枠体７４を外枠２に取り付けた後、載置台６１に固定された基板格納部８６に配設されている表示制御基板１０２を、配線ケーブル９７により、裏機構盤３７の基板ユニット３８に配設される他の制御基板と接続させる（図示省略）。
【００６２】
一方、上述のように外枠２に取り付けられた状態の金属製内枠体７４を取り外す場合には、係脱部材９０の弾性係止片９２を内方に傾動させ、該金属製内枠体７４を、その下部を支点として後方に向かって下方傾斜させて、縦杆部７４ａ，７４ａの上部を外枠２の前面側に取出す（図２０（ロ）参照）。そして、この下方傾斜した状態のまま、外枠２の幕板２２に横杆部７４ｂが接触しないように、金属製内枠体７４を外枠２から引出し、取り外す。このように取り外した後、新しい機種の金属製内枠体７４を上述したように取り付けることにより、新機種へ変更する作業を行うことができる。
【００６３】
このように、本発明にあっては、支持ブラケット６０，６０により両持ち状に保持した載置台６１にリールユニットを載置し、該載置台６１に固定した基板格納部８７に表示制御基板１０２を配設した、略Ｕ字形状の金属製内枠体７４を、外枠２の前面側から取り付け及び取り外しができるようにしたものである。これにより、機種変更する場合等で、工場で予めリールユニット６２や表示制御基板１０２が配設された金属製内枠体７４を、遊技場で外枠２に容易かつ適正に取り付けることができるから、従来構成のように、重量のあるリールユニット６２を前枠４に取り付ける作業や、表示制御基板１０２を裏機構盤３７の基板ユニット３８に取り付ける作業が省略できる。また、これらリールユニット６２や表示制御基板１０２を、専用の運搬ボックスに梱包して運搬することを必要とせずに安全に運搬でき、運搬作業も軽減される。
【００６４】
また、この金属製内枠体７４には、基板ユニット３８に配設される制御基板を運搬するための基板格納部８７，８７も設けられていることから、制御基板を専用の運搬ボックスを用いなくとも、該制御基板を安全に運ぶことができる。そして、この基板格納部８７，８７は、制御基板をワンウェイ螺子９９により封入装着するようにしていることから、運搬中に不正に取り替えられることも防止できる。一方、上述した載置台６１に固定された基板格納部８６にあっては、制御基板を着脱可能な後方に封印テープを貼る等して、同様に、運搬中に不正に取り替えられることを防止している。さらには、この基板格納部８６は後方からしか制御基板を着脱できないことから、当該金属製内枠体７４が外枠２に取り付けられてしまえば、当該制御基板を不正に取り外したり、交換することができない。
【００６５】
さらにまた、金属製内枠体７４は、外枠２の左右の側杆部２ａ，２ａの杆内面と底杆部の杆上面に面支持されると共に、左右両側の縦杆部７４ａ，７４に設けた係脱部材９０により外枠２の左右の側杆部２ａ，２ａを挟持することにより、外枠２に固定されるようにしたものであるから、外枠２自体に何ら加工を施す必要がない。そして、この金属製内枠体７４を取り外した状態では、再び、スロットマシンやパチンコ機を取り付ける外枠２として使用することができる。即ち、遊技島に設置されている既設のスロットマシン１をパチンコ機に交換する場合には、前枠４と金属製内枠体７４とを取り外すことにより外枠２を残して既設のスロットマシン１を取り外し、その残した外枠２にパチンコ機の前枠を取付けることにより、スロットマシン１からパチンコ機への交換が簡単にできる。また、既設のスロットマシン１を新規のスロットマシンに交換（盤替え）する場合には、例えば、遊技パネルと、基板ユニットの各制御基板と、金属製内枠体７４とを取り外して、これらを新規のスロットマシンのものと交換することにより、盤替えを容易に行うことができる。また、前枠４と、載置台６１に保持しているリールユニットを取り外して、残した金属製内枠体７４の載置台６１に新規のスロットマシンのリールユニットを載置するとともに、新規のスロットマシンの前枠を取付けることにより、盤替えを行うこともできる。
【００６６】
さらに、この載置台６１によりリールユニット６２の底部を支持して固定できることによって、従来構成の片持ち状に支持するものに比して、リールユニット６２の設置状態及び回転リールの回転状態を極めて安定させることができる。また、重量のあるリールユニット６２が前枠４側に配設されていないため、メンテナンス時における前枠４の開閉操作を楽に行うことができる。
【００６７】
一方、上述した実施例と異なる構成として、図２２のように、金属製内枠体７４の横杆部７４ｂには基板格納部を設けず、載置台６１の下方に三層構造の基板格納部８６Ｘ，８６Ｙ，８６Ｚを設けるようにした構成とすることもできる。この三段階の層構造の基板格納部８６Ｘ，８６Ｙ，８６Ｚにあっては、それぞれに各一個毎に制御基板を配設するようにしており、最上段の基板格納部８６Ｘは上述と同様の構成である。一方、下二段の基板格納部８６Ｙ、８６Ｚは、左右両側縁から上方曲成された側壁部８６ｂが形成されていると共に、制御基板の下面を支持する基盤支持部８６ｃの前縁から上方曲成された前面壁８６ｄが形成されており、該前面壁８６ｄの上縁がそれぞれ直上の基板支持部８６ａ，８６ｃに接合されて固着されている。そして、各基板格納部８６Ｘ，８６Ｙ，８６Ｚは、前面側と左右両側と上下面とを囲繞するように設けられており、唯一後方から制御基板を脱着可能としている。ここで、各基板格納部８６Ｘ，８６Ｙ，８６Ｚには、制御基板を横置きに配設されるようになっており、制御基板に設けられた四箇所の固定用螺子孔部９６を螺子止めすることにより固着するようになっている。さらに、この下二段の基板格納部８６Ｙ，８６Ｚは、最上段の基板格納部８６Ｘに比して、後方位置となるようにもうけられている。
【００６８】
ここで、下二段の基板格納部８６Ｙ，８６Ｚの各前面壁８６ｄには、上述した載置台６１の前面壁６６ｂと同様に、横方向に長方形状に開口する配線開口８２が設けられている。そして、各基板格納部８６Ｘ，８６Ｙ，８６Ｚに配設された各制御基板１００，１０２，１０３と夫々に接続された各配線ケーブル９７を各配線開口８２から前方へ引出し、前枠４側に配設された遊技制御装置から延出される配線に夫々に結線できるようにしている。このような構成にあって、例えば、表示制御基板１０２、主制御基板１００、音声ランプ制御基板１０３を予め三段階の基板格納部８６Ｘ，８６Ｙ，８６Ｚに夫々に固定しておくことにより、当該金属製内枠体７４’を外枠２に配設して各制御基板１００，１０２，１０３を遊技制御装置から延出される配線と結線することにより、これら制御基板１００，１０２，１０３をスロットマシンに設置することができる。したがって、遊技場では、これら三種の制御基板１００，１０２，１０３を前枠４に取り付ける必要もないため、制御基板を取り扱う作業を極めて慎重に行う等を要せず、比較的安全かつ容易に設置でき、作業性を一層軽減できる。また、この金属製内枠体７４が配設されると、各基板格納部８６Ｘ，８６Ｙ，８６Ｚに配設された制御基板１００，１０２，１０３を前面側から取り外すことができないことから、遊技場でこれら制御基板１００，１０２，１０３への不正行為を防止できる。尚、各制御基板１００，１０２，１０３を基板格納部８６Ｘ，８６Ｙ，８６Ｚに配設した後に、該基板格納部８６Ｘ，８６Ｙ，８６Ｚの後方部位に封印テープを貼り付け、当該表示制御基板１０２を封止装着することにより、当該金属製内枠体７４を外枠２に配設する前に、各制御基板１００，１０２，１０３が不正に取り外されないようすることもできる。この実施例にあって、この他の構成は、上述した実施例と同じであり、同一部分に同一符号を付して重複する説明を省略する。
【００６９】
本発明にあっては、上述した実施例に限定されるものではなく、その他の構成についても、本発明の趣旨の範囲内で適宜変更可能である。例えば、外枠に金属製内枠体を係止する係止手段として、上記した係脱部材に代えて、螺子孔を設けておき、外枠に螺子止めするようにした構成等とすることもできる。また、載置台を支持する支持ブラケットを横杆部に固着するようにした構成とすることも可能である。
【図面の簡単な説明】
【００７０】
【図１】本発明にかかるスロットマシン１の外観斜視図である。
【図２】同上のスロットマシン１の正面図である。
【図３】同上のスロットマシン１の側面図である。
【図４】同上のスロットマシン１の平面図である。
【図５】前枠４と裏機構板３７と金属製内枠体７４と外枠２とを分離した状態の外観斜視図である。
【図６】前扉１７と前枠４と意匠板６と遊技盤７とを分離した状態の外観斜視図である。
【図７】整流通路５４と貯留球検知スイッチ９５ａ〜９５ｃ等の配置関係を示す斜視図である。
【図８】前扉１７から上受皿１５を分離した状態の外観斜視図である。
【図９】前扉１７と裏機構板３７の配置関係を示す斜視図である。
【図１０】球取込装置５０の構成を示す縦断面図である。
【図１１】裏機構板３７の背面側斜視図である。
【図１２】裏機構板３７の正面図である。
【図１３】（イ）は取込通路４８の構成を示す斜視図、（ロ）はその分解斜視図である。
【図１４】取込通路４８に設けられた振分け装置３３の作用説明図である。
【図１５】遊技制御装置を構成する制御回路のブロック回路図である。
【図１６】（イ）は支持ブラケット６０及び基板格納部８６を備えた載置台６１を示す斜視図、（ロ）はその分解斜視図である。
【図１７】（イ）支持ブラケット６０及び基板格納部８６を備えた載置台６１と、基板格納部８７と、金属製内枠体７４との外観斜視図、（ロ）これら載置台６１と基板格納部８７とを金属製内枠体７４に取り付けた状態を表す外観斜視図である。
【図１８】（イ）載置台６１と基板格納部８７とが取り付けられた金属製内枠体７４と、リールユニット６２と、主制御基板１００と、表示制御基板１０２と、音声ランプ制御基板１０３との外観斜視図、（ロ）リールユニット６２と主制御基板１００と表示制御基板１０２と音声ランプ制御基板１０３とを取り付けた状態を表す外観斜視図である。
【図１９】ワンウェイ螺子９９により、基板格納部８７に制御基板１００（１０３）を封入装着する作用を表す説明図である。
【図２０】リールユニット６２と表示制御基板１０２とを取り付けた金属製内枠体７４を、外枠２に取り付ける過程を表す説明図である。
【図２１】リールユニット６２と表示制御基板１０２とを取り付けた金属製内枠体７４が、外枠２に取り付けられた状態を表す外観斜視図である。
【図２２】金属製内枠体７４に、三段階の基板格納部８６Ｘ，８６Ｙ，８６Ｚを備えた載置台６１が取り付けされた状態を表す、（イ）正面図、（ロ）断面図である。
【符号の説明】
【００７１】
１  スロットマシン
２  外枠
２ａ  側杆部
２ｃ  底杆部
４  前枠
３７  裏機構板
６０  支持ブラケット
６１  載置台
６２  リールユニット
６８  凹部（回避部）
７４  金属製内枠体
７４ａ  縦杆部
７４ｂ  横杆部
７５  逃げ面
８６，８７  基板格納部
９０  係脱部材
９１  鍔部
９２  弾性係止片
ｘ  遊技球
【図１】
2006034423.tif 000003
【図２】
2006034423.tif 000004
【図３】
2006034423.tif 000005
【図４】
2006034423.tif 000006
【図５】
2006034423.tif 000007
【図６】
2006034423.tif 000008
【図７】
2006034423.tif 000009
【図８】
2006034423.tif 000010
【図９】
2006034423.tif 000011
【図１０】
2006034423.tif 000012
【図１１】
2006034423.tif 000013
【図１２】
2006034423.tif 000014
【図１３】
2006034423.tif 000015
【図１４】
2006034423.tif 000016
【図１５】
2006034423.tif 000017
【図１６】
2006034423.tif 000018
【図１７】
2006034423.tif 000019
【図１８】
2006034423.tif 000020
【図１９】
2006034423.tif 000021
【図２０】
2006034423.tif 000022
【図２１】
2006034423.tif 000023
【図２２】
2006034423.tif 000024